(57)【要約】【課題】少ない流量でもボウル部の汚物受け面全体を洗浄することができると共に、リム吐水口近傍の汚物受け面も洗浄することができる水洗大便器を提供する。            【解決手段】本発明の水洗大便器1は、汚物受け面14と、リム部18と、汚物受け面とリム部との間に形成された棚面16と、を備えたボウル部20と、ボウル部から汚物を排出する排水トラップ管路22と、ボウル部に洗浄水を吐水して旋回流を形成するリム吐水部24,26と、を有し、リム吐水部は、リム通水路24を備え、このリム通水路の下流端にリム吐水口26が形成され、リム通水路のリム吐水口の近傍領域及び棚面のリム吐水口の近傍領域に、リム通水路からリム吐水口を経て棚面に向けて延び旋回流を形成する第１底面32及びこの第１底面からボウル部の内側へ向けて下降流を形成する第２底面34と、が形成され、第１底面の水平方向の幅W1はリム吐水口の底面の幅Wより小さい。【選択図】図４
2018105048.tif 000002
【特許請求の範囲】
【請求項１】
洗浄水源から供給される洗浄水により便器が洗浄され汚物が排出される水洗大便器において、
ボウル形状の汚物受け面と、この汚物受け面の上縁部に形成されたリム部と、上記汚物受け面の上縁部と上記リム部の下端部との間に形成された棚面と、を備えたボウル部と、
このボウル部の下部に接続されて汚物を排出する排水路と、
上記リム部に設けられ上記ボウル部に洗浄水を吐水して旋回流を形成するリム吐水部と、
洗浄水を上記洗浄水源から上記リム吐水部に供給する導水路と、を有し、
上記リム吐水部は、上記導水路から供給された洗浄水が通水するリム通水路を備え、このリム通水路の下流端に洗浄水をボウル部の周方向に向けて吐水するリム吐水口が形成され、
上記リム通水路の上記リム吐水口の近傍領域及び上記棚面の上記リム吐水口の近傍領域に、上記リム通水路から上記リム吐水口を経て上記棚面に向けて延び旋回流を形成する第１底面及びこの第１底面からボウル部の内側へ向けて下降流を形成する第２底面が形成され、上記第１底面の水平方向の幅は上記リム吐水口の底面の水平方向の幅より小さい水洗大便器。
【請求項２】
上記第２底面は、上記第１底面から上記ボウル部内側且つ下方へ向けて傾斜して延びている請求項１記載の水洗大便器。
【請求項３】
上記リム吐水口は、上記ボウル部の後方に向けて洗浄水を吐水するように形成され、
上記棚面は、その高さが、上記リム吐水口から上記ボウル部の後方の端部へ向けて上昇し、さらに、上記ボウル部の後方の端部から前方の端部に向けて下降するように形成されている請求項２記載の水洗大便器。
【請求項４】
上記リム部において、上記リム吐水口の下流側に上記第１底面及び第２底面を覆うオーバーハング部が形成されている請求項３記載の水洗大便器。
【発明の詳細な説明】
【技術分野】
【０００１】
本発明は、水洗大便器に係り、特に、洗浄水源から供給される洗浄水により洗浄され汚物が排出される水洗大便器に関する。
【背景技術】
【０００２】
従来、洗浄水源から供給される洗浄水によって洗浄されて汚物を排出する水洗大便器として、例えば、特許文献１に記載されているように、直圧式水洗大便器が知られている。
この直圧式水洗大便器は、リム吐水口から吐水される洗浄水の水勢が弱く、吐水により形成される洗浄水の水膜が薄い場合がある。
このような洗浄水の水勢の弱い水洗大便器において、汚物受け面全体を洗浄するために、リム吐水口から吐水される洗浄水の吐水時間を延ばし吐水流量を多くしたり、少量ずつ吐水流量を増やしていくことにより、洗浄水がボウル部内を一周する旋回流を形成していた。
【先行技術文献】
【特許文献】
【０００３】
【特許文献１】特開２０１６−０９４７６２号公報
【発明の概要】
【発明が解決しようとする課題】
【０００４】
しかしながら、近年の節水化に伴い使用する洗浄水の流量が低減される場合でも汚物受け面全体を洗浄できるようにするために、洗浄水がボウル部内を一周する旋回流を形成する必要がある。例えば、リム吐水口を絞って吐水される洗浄水の流速を上げることにより、ボウル部内を一周する旋回流を形成することが可能となる。しかしながら、リム吐水口からの吐水直後において、リム吐水口から吐水された洗浄水がリム吐水口近傍の汚物受け面に流れ落ちず、リム吐水口近傍の汚物受け面に不洗部が形成されてしまうという問題がある。また、リム吐水口から吐水される洗浄水の流速を落とし、リム吐水口近傍の汚物受け面を洗浄しようとすると、水勢が足りず、吐水された洗浄水がボウル部を一周する旋回流を形成することができず、汚物受け面全体を洗浄できなくなってしまうという問題がある。
【０００５】
そこで、本発明は、上述した従来技術の問題を解決するためになされたものであり、少ない流量でもボウル部の汚物受け面全体を洗浄することができると共に、リム吐水口近傍の汚物受け面も洗浄することができる水洗大便器を提供することを目的としている。
【課題を解決するための手段】
【０００６】
上記の目的を達成するために、本発明は、洗浄水源から供給される洗浄水により便器が洗浄され汚物が排出される水洗大便器において、ボウル形状の汚物受け面と、この汚物受け面の上縁部に形成されたリム部と、汚物受け面の上縁部とリム部の下端部との間に形成された棚面と、を備えたボウル部と、このボウル部の下部に接続されて汚物を排出する排水路と、リム部に設けられボウル部に洗浄水を吐水して旋回流を形成するリム吐水部と、洗浄水を洗浄水源からリム吐水部に供給する導水路と、を有し、リム吐水部は、導水路から供給された洗浄水が通水するリム通水路を備え、このリム通水路の下流端に洗浄水をボウル部の周方向に向けて吐水するリム吐水口が形成され、リム通水路のリム吐水口の近傍領域及び棚面のリム吐水口の近傍領域に、リム通水路からリム吐水口を経て棚面に向けて延び旋回流を形成する第１底面及びこの第１底面からボウル部の内側へ向けて下降流を形成する第２底面が形成され、第１底面の水平方向の幅はリム吐水口の底面の水平方向の幅より小さい。
このように構成された本発明においては、リム通水路のリム吐水口の近傍領域及び棚面のリム吐水口の近傍領域に、リム通水路からリム吐水口を経て棚面に向けて延び旋回流を形成する第１底面及びこの第１底面からボウル部の内側へ向けて下降流を形成する第２底面と、が形成され、第１底面の水平方向の幅がリム吐水口の底面の水平方向の幅より小さいので、リム吐水口から吐水された洗浄水は、ボウル部を一周する旋回流を形成するための洗浄水と、リム吐水口近傍から汚物受け面に下降する下降流を形成するための洗浄水と、に分流される。その結果、本発明によれば、少ない流量であってもボウル部の汚物受け面全体を洗浄すると共にリム吐水口近傍の汚物受け面も洗浄することができる。
【０００７】
本発明において、好ましくは、第２底面は、第１底面から上記ボウル部内側且つ下方へ向けて傾斜して延びている。
このように構成された本発明においては、第２底面は、第１底面からボウル部内側且つ下方へ向けて傾斜して延びているので、洗浄水の一部をより確実にリム吐水口近傍の汚物受け面に下降する下降流を形成することができる。
【０００８】
本発明において、好ましくは、リム吐水口は、ボウル部の後方に向けて洗浄水を吐水するように形成され、棚面は、その高さが、リム吐水口からボウル部の後方の端部へ向けて上昇し、さらに、ボウル部の後方の端部から前方の端部に向けて下降するように形成されている。
このように構成された本発明においては、棚面の高さが、リム吐水口からボウル部の後方の端部へ向けて上昇し、さらに、ボウル部の後方の端部から前方の端部に向けて下降するように形成されているので、リム吐水口から吐水された直後で比較的洗浄水の水勢が強いボウル部の後方領域の棚面では、洗浄水の旋回性は維持され、さらに、水勢が低下するボウル部の前方領域の棚面でも、洗浄水の旋回性が低下することを抑制することができる。そのため、洗浄水の旋回性の維持とリム吐水口近傍の汚物受け面の洗浄とをより確実に両立させることができる。
【０００９】
本発明において、好ましくは、リム部において、リム吐水口の下流側に第１底面及び第２底面を覆うオーバーハング部が形成されている。
このように構成された本発明においては、リム吐水口は、ボウル部の後方に向けて洗浄水を吐水するように形成され、リム部において、リム吐水口の下流側に第１底面及び第２底面を覆うオーバーハング部が形成されているので、第１底面及び第２底面によるリム吐水口近傍の見た目の違和感を使用者に認識させることなく、少ない流量であってもボウル部の汚物受け面全体を洗浄すると共にリム吐水口近傍の汚物受け面も洗浄することができる。
【発明の効果】
【００１０】
本発明の水洗大便器によれば、少ない流量でもボウル部の汚物受け面全体を洗浄することができると共に、リム吐水口近傍の汚物受け面も洗浄することができる。
【図面の簡単な説明】
【００１１】
【図１】本発明の一実施形態による水洗大便器を示す斜視図である。
【図２】本発明の一実施形態による水洗大便器における左右方向の中央断面を左側から見た断面図である。
【図３】図１に示す本発明の一実施形態による水洗大便器の便器本体部分を示す部分平面図である。
【図４】図３に示す本発明の一実施形態による水洗大便器のリム吐水口近傍を拡大して示す部分拡大平面図である。
【図５】図４のV−V線に沿ったリム部の部分拡大断面図である。
【図６】図４のVI−VI線に沿ったリム部の部分拡大断面図である。
【図７】図６のＡ部分の部分拡大断面図である。
【図８】図４のVIII−VIII線に沿ったリム部の部分拡大断面図である。
【図９】本発明の一実施形態による水洗大便器の棚面における左右方向の中央断面を右側から見た部分拡大断面図である。
【図１０】本発明の一実施形態による水洗大便器におけるリム吐水口からボウル部に吐水された洗浄水の流れを示す平面図である。
【発明を実施するための形態】
【００１２】
以下、添付図面を参照して、本発明の一実施形態による水洗大便器について説明する。まず、図１乃至図３により、本発明の実施形態による水洗大便器の基本構造を説明する。図１は本発明の一実施形態による水洗大便器を示す斜視図であり、図２は本発明の一実施形態による水洗大便器における左右方向の中央断面を左側から見た断面図であり、図３は図１に示す本発明の一実施形態による水洗大便器の便器本体部分を示す部分平面図である。
【００１３】
図１乃至図３に示すように、本発明の実施形態による水洗大便器１は、陶器製の便器本体２と、この便器本体２の上面に上下方向に回動可能に配置された便座４と、この便座４を覆うように上下方向に回動可能に配置された便蓋６と、便器本体２の後方に配置された機能部８とを備えている。
図２に示すように、機能部８は、便器本体２の後方上部に配置されて、使用者の局部を洗浄する衛生洗浄部として機能する衛生洗浄系機能部１０と、この衛生洗浄系機能部１０に近接して配置されて、便器本体２への給水機能に関与する給水系機能部１２とを備えている。
【００１４】
次に、図１乃至図３に示すように、便器本体２は、ボウル部２０を備え、このボウル部２０は、ボウル形状の汚物受け面１４と、この汚物受け面１４の上縁の棚面１６から立ち上がるように形成されたリム部１８とを備えている。
また、図２に示すように、便器本体２には、ボウル部２０内の汚物を排出する排水路である排水トラップ管路２２が設けられ、この排水トラップ管路２２の入口部２２ａボウル部２０の下部に接続されている。
【００１５】
ここで、衛生洗浄系機能部１０及び給水系機能部１２のそれぞれの具体的な構造については、従来のものと同様であるため、詳細な説明については省略する。
【００１６】
次に、図３に示すように、ボウル部２０は、前後方向に二等分する左右方向に延びる中心線Ｃに対して前方側である前方側領域Ｆと後方側である後方側領域Ｒを備えており、このボウル部２０のリム部１８内部には、リム吐水部の一部であるリム通水路２４が形成されている。
このリム通水路２４は、便器本体２の前方から見てボウル部２０の後方側領域Ｒ内の左側のリム部１８から、ボウル部２０の前方側領域Ｆのリム部１８の前端部１８ａを経て、便器本体２の前方から見てボウル部２０の前方側領域Ｆの右側のリム部１８まで形成されている。また、このリム通水路２４の下流端には、リム吐水部の一部であるリム吐水口２６が形成されている。
また、リム通水路２４及びリム吐水口２６は、陶器により便器本体２に一体に形成されている
【００１７】
さらに、図３に示すように、リム通水路２４の上流部は、洗浄水源である水道（図示せず）から供給される洗浄水をリム通水路２４に供給する導水路である導水管２８に接続されている。また、リム吐水口２６の下流側はリム部１８と汚物受け面１４との間に形成された棚面１６と繋がっている。
導水管２８の上流側は、洗浄水源である水道（図示せず）に直結されており、この水道の給水圧力を利用して、導水管２８からリム通水路２４内に供給された洗浄水は、リム部１８の形状に沿って形成されたリム通水路２４内を流れ、リム吐水口２６まで導かれるようになっている。
そして、リム吐水口２６に導かれた洗浄水は、ボウル部２０の後方に向けて吐水され、ボウル部２０内を旋回することにより、ボウル部２０内に旋回流が形成されるようになっている。
なお、リム部１８に設けられ洗浄水を吐水してボウル部２０内に旋回流を形成する吐水口は、リム吐水口２６のみである。
【００１８】
なお、本実施形態の水洗大便器１は、リム吐水口２６から洗浄水がボウル部２０後方に向けて吐水される水洗大便器であるが、これに限らず、リム吐水口２６から洗浄水がボウル部２０前方に向けて吐水される水洗大便器であってもよい。
【００１９】
次に、図４乃至図８を参照して、本発明の実施形態による水洗大便器１のリム吐水口２６近傍のリム通水路２４及び棚面１６について説明する。図４は図３に示す本発明の一実施形態による水洗大便器のリム吐水口近傍を拡大して示す部分拡大平面図であり、図５は図４のV−V線に沿ったリム部の部分拡大断面図であり、図６は図４のVI−VI線に沿ったリム部の部分拡大断面図であり、図７は図６のＡ部分の部分拡大断面図であり、図８は図４のVIII−VIII線に沿ったリム部の部分拡大断面図である。
【００２０】
図４乃至図７に示すように、リム通水路２４は、リム部１８の内壁により形成されている。このリム通水路２４のリム吐水口２６の近傍領域、及び、棚面１６のリム吐水口１６の近傍領域には、第１底面３２が形成されている。
さらに、この第１底面３２からボウル部２０の内側且つ下方に向けて傾斜して延びる第２底面３４が形成されている。
なお、第１底面３２の水平方向の幅Ｗ１は、リム吐水口２６の底面の水平方向の幅Ｗより小さくなっている。
【００２１】
より具体的に説明すると、図７に示すように、第１底面３２は、ほぼ水平な平坦な面であり、棚面１６に向いボウル部２０に旋回流を形成するためのものである。ここで、ほぼ水平とは、傾きが０°〜０．３°の範囲で下方に向けて傾いている面を意味する。
第２底面３４は、第１底面３２からボウル部２０内側且つ下方へ向けて傾斜している面であり、この第２底面３４の傾きは、水平面に対して１°〜３°である。この第２底面３４は、リム吐水口２６の直後からボウル部２０内へ向かう下降流を形成するためのものである。
【００２２】
ここで、「リム通水路のリム吐水口の近傍領域」及び「棚面のリム吐水口の近傍領域」とは、第１底面及び第２底面が形成されることにより、第１底面が棚面に向いボウル部に旋回流を形成でき、第２底面がリム吐水口の直後からボウル部内へ向かう下降流を形成することができる領域をいう。例えば、リム通水路のリム吐水口の近傍領域とは、洗浄水の流れ方向に沿って見てリム通水路２４の水平方向の曲率半径が小さい曲率半径が大きい曲率半径に変化する点より下流側からリム吐水口２６までの領域である。また、例えば、棚面１６のリム吐水口１６の近傍領域とは、リム吐水口２６を挟んでリム通水路２４のリム吐水口２６の近傍領域と同一の大きさをもつ領域や、リム吐水口２６より下流側で中心線Ｃより上流側である領域である。
【００２３】
なお、本発明の水洗大便器においては、第１底面及び第２底面は、上述した形態に限らず、第１底面及び第２底面が、少なくともリム通水路の下流端であるリム吐水口及びその下流領域に形成されていればよい。
【００２４】
ここで、図８に示すように、吐水口２６の下流側の棚面１６の外周側には、上述した第１底面３２及び第２底面３４を覆うオーバーハング部３８が形成されている。このオーバーハング部３８により、リム通水路２４の下流端であるリム吐水口２６が上方から見えないようになっている。
【００２５】
なお、リム部１８の全周の中で、リム吐水口２６の近傍領域においてのみオーバーハング部３８が形成され、リム吐水口２６近傍を除くリム部１８の内周面３６は、鉛直方向に切った断面において上下方向に直線状に延びるように形成されており、オーバーハング形状とはなっていない。
【００２６】
次に、図２及び図９を参照して、本発明の一実施形態による水洗大便器１のボウル部２０の棚面１６に高さについて説明する。図９は本発明の一実施形態による水洗大便器の棚面における左右方向の中央断面を右側から見た部分拡大断面図である。
【００２７】
図２及び図９に示すように、棚面１６は、その高さｈが、リム吐水口２６からボウル部２０の後方の端部に向けて上昇し（図９の実線で示された棚面１６参照）、さらに、ボウル部２０の後方の端部から前方の端部に向かって下降する（図９の破線で示された棚面１６参照）ようになっている。
【００２８】
これにより、リム吐水口２６から吐水された直後で比較的水勢が強い、吐水方向と同じ向きに洗浄水が向かう棚面１６において、棚面１６を上昇させ、旋回中の摩擦により水勢が低下しやすい、吐水方向と反対の向きに洗浄水が向かう棚面１６において、棚面１６を下降させて水勢が弱るなることを抑制して、洗浄水の旋回性が低下することを抑制することができる。そのため、ボウル部２０を一周する旋回流をより確実に形成することができる。また、棚面１６の高さ位置が下方に下がりすぎず、棚面１６の上方側に不洗部ができにくい。
【００２９】
なお、上述した実施形態は、リム吐水口２６が後方に向けて洗浄水を吐水する水洗大便器であったが、本発明は、これに限定されず、リム吐水口２６が前方に向けて洗浄水を吐水するものであってもよい。この水洗大便器の場合には、棚面１６の高さｈが、リム吐水口２６からボウル部２０の前方の端部に向けて上昇し、さらに、ボウル部２０の前方の端部から後方の端部に向かって下降するようになっている。
【００３０】
次に、図１０を参照して、本発明の実施形態による水洗大便器１におけるリム吐水口２６からボウル部２０に吐水された洗浄水の流れについて説明する。図１０は本発明の一実施形態による水洗大便器におけるリム吐水口からボウル部に吐水された洗浄水の流れを示す平面図である。
【００３１】
図１０に示すように、リム吐水口２６から吐水される洗浄水は、リム吐水口２６の近傍領域において、第１底面３２により、その一部が棚面１６を旋回する流れＷＦ１の洗浄水と、第２底面３４により、残りが棚面１６からボウル部２０内へ下降する流れＷＦ２の洗浄水との二つの流れに分流される。
この流れＷＦ１の洗浄水は、ボウル部２０を一周する旋回流Ｃを形成し、ボウル部２０の汚物受け面１４全体を洗浄することができる。
さらに、流れＷＦ２の洗浄水は、リム吐水口２６近傍から汚物受け面１４に下降する下降流Ｄを形成し、リム吐水口２６近傍である汚物受け面１４の領域Ｓを洗浄することができ、それにより、領域Ｓに不洗部が形成されることを抑制することができる。
したがって、本実施形態による水洗大便器１によれば、少ない流量でもボウル部２０の汚物受け面１４全体を洗浄することができると共に、リム吐水口２６近傍の汚物受け面１４も洗浄することができる。
【００３２】
次に、上述した本発明の一実施形態による水洗大便器１における作用について説明する。
まず、本発明の一実施形態による水洗大便器１によれば、リム通水路２４のリム吐水口２６の近傍領域及び棚面１６のリム吐水口２６の近傍領域に、リム吐水口２６から棚面１６に向けて延び旋回流を形成する第１底面３２と、この第１底面３２からボウル部２０の内側へ向けて下降流を形成する第２底面３４と、が形成され、第１底面３２の幅Ｗ１はリム吐水口の幅Ｗより小さくなっているので、リム吐水口２６から吐水された洗浄水は，ボウル部２０を一周する旋回流Ｃを形成するための洗浄水と、リム吐水口２６近傍から汚物受け面１４に下降する下降流Ｄを形成するための洗浄水と、に分流される。この結果、本実施形態による水洗大便器によれば、少ない流量でもボウル部２０の汚物受け面１４全体を洗浄することができると共に、リム吐水口２６近傍の汚物受け面１４も洗浄することができる。
【００３３】
また、本発明の実施形態による水洗大便器１によれば、第１底面３２及び第２底面３４は、リム吐水口２６より上流側であるリム通水路２４から形成されているので、洗浄水をより確実に流れＷＦ１の洗浄水と流れＷＦ２の洗浄水の二つの流れの洗浄水に分流してリム吐水口２６から吐水させることができる。
【００３４】
また、本発明の実施形態による水洗大便器１によれば、第２底面３４は、第１底面３２からボウル部２０内側且つ下方へ向けて傾斜して延びているので、洗浄水の一部を、より確実にリム吐水口２６近傍の汚物受け面１４の領域Ｓに下降する下降流を形成する洗浄水としてリム吐水口２６から吐水させることができる。
【００３５】
また、本発明の一実施形態による水洗大便器１によれば、リム吐水口２６は、ボウル部２０の後方に向けて洗浄水を吐水するように形成され、棚面１６は、その高さｈが、リム吐水口２６からボウル部２０の後方の端部へ向けて上昇し、さらに、ボウル部２０の後方の端部から前方の端部に向けて下降するようになっている。そのため、リム吐水口２６から吐水された直後で比較的水勢が強い、吐水方向と同じ向きに洗浄水が向かう棚面１６の前半領域において、棚面を上昇させ、旋回中の摩擦により水勢が低下しやすい、吐水方向と反対の向きに洗浄水が向かう棚面１６の後半領域において、棚面１６を下降させて水勢が弱るなることを抑制して、洗浄水の旋回性が低下することを抑制することができる。
このように棚面１６の高さｈを設定することにより、棚面１６の高さ位置が下方に下がりすぎず、棚面１６の上方側に不洗部ができにくくなる。
【００３６】
また、本発明の実施形態による水洗大便器１によれば、リム吐水口２６は、ボウル部２０の後方に向けて洗浄水を吐水するように形成され、リム部１８において、リム吐水口２６の下流側に第１底面３２及び第２底面３４を覆うオーバーハング部３８が形成されているので、第１底面３２及び第２底面３４によるリム吐水口２６近傍の見た目の違和感を使用者に認識させることなく、少ない流量でもボウル部２０の汚物受け面１４全体を洗浄することができると共に、リム吐水口２６近傍の汚物受け面１４も洗浄することができる。
【符号の説明】
【００３７】
１  水洗大便器
２  便器本体
１４  汚物受け面
１６  棚面
１８  リム部
２０  ボウル部
２２  排水トラップ管路（排水路）
２２ａ  入口部
２４  リム通水路（リム吐水部）
２６  リム吐水口（リム吐水部）
２８  導水管（導水路）
３２  第１底面
３４  第２底面
３８  オーバーハング部
【図１】
2018105048.tif 000003
【図２】
2018105048.tif 000004
【図３】
2018105048.tif 000005
【図４】
2018105048.tif 000006
【図５】
2018105048.tif 000007
【図６】
2018105048.tif 000008
【図７】
2018105048.tif 000009
【図８】
2018105048.tif 000010
【図９】
2018105048.tif 000011
【図１０】
2018105048.tif 000012